(57)【要約】【課題】足掛けを防止できると共に光や風を取り込み易く且つ意匠性に優れる格子体を提供する。【解決手段】本発明にかかる格子体１は、支柱３と、支柱３、３間に上下に間隔をあけて配置した横格子５とを備え、横格子５は、外側見付け面１１と、内側見付け面１３と、上面１５と、下面１７とを有し、上面１５は外側見付け面１１の上端部１１ａから内側見付け面１３の上端部１３ｂに連続してあり且つ上を凸にした湾曲形状を成し、下面１７は外側見付け面１１の下端部１１ｂから内側見付け面１３の下端部１３ｂに連続してあり且つ上を凸にした湾曲形状を成し、外側見付け面１１の下端部１１ｂは内側見付け面１３の上端部１３ａよりも上方に位置し且つ上下に隣合う上横格子の内側見付け面１３の下端部１３ｂが下横格子の外側見付け面１１の上端部１１ａよりも下方に位置している。【選択図】図１
2015140578.tif 000002
【特許請求の範囲】
【請求項１】
支柱と、支柱間に上下に間隔をあけて配置した横格子とを備え、横格子は、外側見付け面と、内側見付け面と、上面と、下面とを有し、上面は外側見付け面の上端部から内側見付け面の上端部に連続してあり且つ上を凸にした湾曲形状を成し、下面は外側見付け面の下端部から内側見付け面の下端部に連続してあり且つ上を凸にした湾曲形状を成し、外側見付け面の下端部は内側見付け面の上端部よりも上方に位置し且つ上下に隣合う上横格子の内側見付け面の下端部が下横格子の外側見付け面の上端部よりも下方に位置していることを特徴とする格子体。
【発明の詳細な説明】
【技術分野】
【０００１】
本発明は、格子体に関する。
【背景技術】
【０００２】
非特許文献１には、図８に示すように、支柱１０１間に上下に間隔をあけて横格子１０３を配置した格子体１０５が開示されている。
この非特許文献１の横格子１０３は、外側見付け面１０７と、内側見付け面１０９と、上面１１１と、下面１１３とで断面略四角形形状を成していると共に、内側見付け面１０９には上方に突設する突起１１５を設けて、隣合う上横格子１０３との間隔を狭めて、上下の横格子１０３、１０３間に足を掛けて格子体１０５に登ること（足掛け）を防止することが開示されている。
【先行技術文献】
【特許文献】
【０００３】
【非特許文献１】第５４頁  「三協立山アルミ  アルミ手すり  総合カタログ  第５版」カタログＮＯ．ＳＴＢ０３０３Ｅ  三協立山アルミ株式会社  ２０１１年９月発行
【発明の概要】
【発明が解決しようとする課題】
【０００４】
しかし、この非特許文献１の格子体では、下横格子の突起が上横格子との間の間隔を狭めているので、光や風を取り込み難いという問題がある。
【０００５】
そこで、本発明は、足掛けを防止できると共に光や風を取り込み易く且つ意匠性に優れる格子体の提供を目的とする。
【課題を解決するための手段】
【０００６】
請求項１に記載の発明は、支柱と、支柱間に上下に間隔をあけて配置した横格子とを備え、横格子は、外側見付け面と、内側見付け面と、上面と、下面とを有し、上面は外側見付け面の上端部から内側見付け面の上端部に連続してあり且つ上を凸にした湾曲形状を成し、下面は外側見付け面の下端部から内側見付け面の下端部に連続してあり且つ上を凸にした湾曲形状を成し、外側見付け面の下端部は内側見付け面の上端部よりも上方に位置し且つ上下に隣合う上横格子の内側見付け面の下端部が下横格子の外側見付け面の上端部よりも下方に位置していることを特徴とする格子体である。
【発明の効果】
【０００７】
請求項１に記載の発明によれば、上面が上を凸にして湾曲すると共に上面の内側が略垂直な内側見付け面に連続しているので、足掛けを防止できる。
外側見付け面の下端部は内側見付け面の上端部よりも上方に位置し且つ上下に隣合う上横格子の内側見付け面の下端部が下横格子の外側見付け面の上端部よりも下方に位置しているから、上下に隣合う横格子間の間隔を、室外側と室内側とで大きく狭めることがないので、外側から内側に向かう光や風の取り込みを従来技術よりも多くできる。
また、上下に隣合う横格子間に入り込んだ光は、上を凸に湾曲した上面及び下面との間で光を反射させて内側へ取り込むことができ、直接光が内側に入り込むのを防止できる。
上面と下面とは、上を凸にした湾曲形状を成しているので、隣合う上下の横格子間を流れる風の抵抗を減らしてスムーズに案内するから、風切り音を防止できる。
外側から格子体を見ると、外側見付け面を主体とする横格子形状が見え、内側から格子体を見ると、内側見付け面を主体とする横格子形状が見えるので、外側及び内側のいずれからも同様な横格子形状が見えるから意匠性が良い。
【図面の簡単な説明】
【０００８】
【図１】本発明の実施の形態にかかる格子体の図であり、図７に示すＡ−Ａ断面図である。
【図２】本発明の実施の形態にかかる格子体の図であり、図１に示すＥ部の拡大図である。
【図３】本発明の実施の形態にかかる格子体の図であり、図７に示すＣ−Ｃ断面図である。
【図４】本発明の実施の形態にかかる格子体の図であり、図７に示すＢ−Ｂ断面図である。
【図５】本発明の実施の形態にかかる格子体の下弦材を抜き出して示す図であり、図４に示すＦ−Ｆ断面図である。
【図６】本発明の実施の形態にかかる格子体の図であり、図７を拡大して示すと共に各部の固定状態を破線で示す図である。
【図７】本発明の実施の形態にかかる格子体を外側から見た正面図である。
【図８】従来の格子体の縦断面図である。
【発明を実施するための形態】
【０００９】
以下に、添付図面を参照して本発明の実施の形態を説明する。
図７に示すように、本実施の形態にかかる格子体１は、バルコニー用手摺りであり、支柱３と、支柱３、３間に上下に間隔をあけて配置した横格子５を備え、各横格子５は、補助部８を介して支柱５に固定されている。また、本実施の形態では、格子体１には、支柱５、５に架設した笠木７と、パネル体９とが設けてある。
図１に示すように、各横格子５は、外側見付け面１１と、内側見付け面１３と、上面１５と、下面１７とを有し、これらの面は連続して内部には中空Ｓが形成された勾玉状を成している。
外側見付け面１１は、外側を突出する上下方向の略円弧面を成している。
内側見付け面１３は、略垂直面である。
上面１５は外側見付け面１１の上端部１１ａから内側見付け面１３の上端部１３ａに連続してあり且つ上を凸にした湾曲形状を成している。
下面１７は、外側見付け面１１の下端部１１ｂから内側見付け面１３の下端部１３ｂに連続してあり且つ上を凸にした湾曲形状を成している。
間隔Ｈ１で示すように、外側見付け面１１の下端部１１ｂは内側見付け面１３の上端部１３ａよりも上方に位置し且つ間隔Ｈ２で示すように、上下に隣合う上横格子５の内側見付け面１３の下端部１３ｂが下横格子５の外側見付け面１１の上端部１１ａよりも下方に位置している。
上下に隣合う横格子５、５において、外側見付け面１１、１１間の間隔Ｈ３は、外側見付け面１１の上下幅Ｗ１と略同じ寸法としてあり、内側見付け面１３、１３間の間隔Ｈ４は、外側見付け面１１、１１間の間隔Ｈ３と略同じ寸法としてある。
内側見付け面１３の上下の幅Ｗ２は、外側見付け面１１の上下の幅Ｗ１と略同じ寸法としてある。
尚、横格子５の中空Ｓ内には、タッピングホール５ａが設けてある。
【００１０】
次に、各横格子５を支柱３に取付ける補助部８について説明する。
図３に示すように、補助部８は、外側補助材１９と内側補助材２１とにより構成されている。
外側補助材１９は支柱固定部１９ａと、支柱固定部１９ａの外側で横格子５側に突設する外側面部１９ｂと、支柱固定部１９ａの内側で横格子５側に突設する内側突設部１９ｃとを備え、支柱固定部１９ａと外側固定部１９ｂと内側突設部１９ｃとで断面略コ字形状を成している。
支柱固定部１９ａはねじ２２により支柱３に固定してあり、外側突設部１９ｂの横格子５側には係合部２３が形成されている。係合部２３は内側に向けて突設する突部である。
内側補助部材２１は横格子固定部２１ａと内側面部２１ｂとを備え、横格子固定部２１ａと内側面部２１ｂとで断面略Ｌ形状を成しており、横格子固定部２１ａの外側端部には、外側補助材１９の係合部２３に内側から係合する被係合部２５が設けてある。
横格子固定部２１ａには、支柱３側から止めるねじ２４で横格子５のタッピングホール５ａ（図１参照）に固定してある。
内側補助材２１は、被係合部２５を係合部２３に内側から係合して、内側面部２１ｂを内側突設部１９ｃの内側に重ねて、内側から止めるねじ２６で外側補助材１９の内側突設部１９ｃに固定してある。
【００１１】
次に、パネル体９の構造について説明する。図７に示すように、パネル体９はパネル２７と、パネル２７の左右端に取り付けた縦枠２９と、パネル２７の下端２７ａに取り付けた下弦材３１と、パネル２７の上端２７ｂに取り付けた笠置補助材３２とから構成されている。そして、縦枠２９と支柱３との間には、寸法調整用の空間３３を形成している。
パネル２７は、太陽電池パネルである。
図６に示すように、下弦材３１は、最上に位置する横格子５の上に設けて、左右端をＬ字金具３５とねじ３４により支柱３に固定している。笠木補助材３２は笠木７の下に設けてあり、左右端を支柱３の上端に固定した金具３７にねじ３６で固定してある。また、笠木補助材３２の左右の中間部は下から止めるねじ３８により笠木７の下端に固定してある。
縦枠２９の下端は下から止めるねじ４０で下弦材３１に固定してあり、縦枠２９の上端は上から止めるねじ４２で笠木補助材３２に固定してある。図４に示すように、縦枠２９には、パネル２７の左右の側端部２７ｃを挿入するパネル挿入溝２９ａが形成されており、パネル２７の側端部２７ｃは押縁３０により縦枠２９に固定してある。
図１及び図５に示すように、下弦材３１には、上端にパネル２７の下端部２７ａを挿入するパネル挿入溝３１ａが形成されており、図１に示すように、パネル２７の下端部２７ａはコーキング材２８により下弦材３１に固定されている。図４、図６及び図５に示すように、下弦材３１において、空間３３に対応する部分には、キャップ３９が嵌めてある。また、図２に示すように、笠木補助材３２の下端にはパネル２７の上端部２７ｂを挿入するパネル挿入溝３２ａが形成してあり、パネル２７の上端部２７ｂは、コーキング材２８を詰めて笠木補助材３２に固定してある。
【００１２】
次に、笠木７について説明する。図２に示すように、笠木７は、基部７ａとカバー７ｂとを備え、笠木７の内部には、パネル２７で発電した電気を送電する送電ケーブル４１の収納空間が形成されている。
基部７ａは、その外側で上方に突設する外側面部４３と、内側で上方に突設する内側面部４５とを備え、外側面部４３の上端４３ａは内側面部４５の上端４５ａよりも上方に位置し、外側面部４３の上端４３ａには係合部４７が形成されている。係合部４７は内側に突設した突部である。
カバー７ｂは、外側に外側面部４３の係合部４７に内側から係合する被係合４９を備え、内側には、基部７ａの内側面部４５の上端４５ａに載置する載置部５１と、載置部５１の外側に突設すると共に下方で内側に折り返した折り返し部５３が形成してある。折り返し部５３は、基部７ａの上に重ねてあり、笠木補助材３２を基部７ａに下から止めるねじ３８で基部７ａに固定してある。
【００１３】
次に、本実施の形態にかかる格子体１の施工について説明する。
まずパネル体９を組み付けるが、パネル体９の組み付けは、図１に示すように、パネル２７の下端部２７ａを下弦材３１のパネル挿入溝３１ａに挿入し、パネル２７の上端部２７ｂを笠木補助材３２のパネル挿入溝３２ａに挿入し、図４及び図６に示すように、パネル２７の左右位置を調整した後にパネル２７の側端部を縦枠２９のパネル挿入溝２９ａに挿入して、押縁３０でパネル２７を固定すると共に図１及び図２に示すように、下弦材３１と笠木補助材３２とにコーキング材２８によりパネル２７を固定する。
また、図６に示すように、縦枠２９はその下端をねじ４０で下弦材３１に固定し、上端をねじ４２により笠木補助材３２に固定する。これにより、パネル２７の四周を下弦材３１と笠木補助材３２と縦枠２９とに固定する。
一方、図６に示すように、支柱３の上端に笠木７の基部７ａ（図２参照）を金具３７とねじ３６で固定して、支柱３、３間に架設する。
次に、パネル体９を支柱３、３間に取り付けるが、パネル体９の取り付けは、下弦材３１の左右端をＬ字金具３５とねじ３４により支柱３に固定し、笠木補助材３２の左右端を支柱３の上端に取り付けた金具３７にねじ３６で固定する。
【００１４】
次に、支柱３、３間に横格子５を取り付ける。
図３に示すように、ねじ２２で支柱３の側面に外側補助材１９を固定する。一方、左右の内側補助材２１には各横格子５の左右端のタッピングホール５ａ（図１参照）にねじ２４で固定する。
横格子５を固定した内側補助材２１の被係合部２５を外側補助材１９の係合部２３に内側から係合して、外側補助材１９の内側突設部１９ｃの内側に内側補助材２１の内側面部２１ｂを重ねて内側から止めるねじ２６で内側面部２１ｂを内側突設部１９ｃに固定する。
【００１５】
一方、笠木７では、図２に示すように、基部７ａの上に送電ケーブル４１を配置した後、カバー７ｂの被係合部４９を基部７ａの係合部４７に内側から係合して、載置部５１を内側突設部４５の上端に載置した後、笠置補助材３２の下側から、笠木補助材３２と共に折り返し部をねじ３８で固定する。
【００１６】
次に、本実施の形態にかかる格子体１の作用効果について説明する。
図１に示すように、横格子５は、上面１５が上を凸にして湾曲すると共に上面１５の内側が略垂直な内側見付け面１３に連続しているので、内側での足掛けを防止できる。
外側見付け面１１の下端部１１ｂは内側見付け面１３の上端部１３ａよりも上方に位置し且つ上下に隣合う上横格子５の内側見付け面１３の下端部１３ｂが下横格子５の外側見付け面１１の上端部１１ａよりも下方に位置しているから、上下に隣合う横格子５、５間の間隔を、室外側と室内側とで大きく狭めることがないので、外側から内側に向けて光や風の取り込みを、図８に示す従来技術よりも多くできる。
また、図１に矢印Ｔで示すように、上下に隣合う横格子５、５間に取り込んだ光は、上を凸に湾曲した上面１５と下面１７との間で反射させるので、直接光が内側に入り難い。
上面１５と下面１７とは、上を凸にした湾曲形状を成しているので、隣合う上下の横格子５、５間を流れる風の抵抗を減らしてスムーズに案内するから、風切り音を防止できる。
外側から格子体１を見ると、外側見付け面１１を主体とする横格子形状が見え、内側から格子体１を見ると、内側見付け面１３を主体とする横格子形状が見えるので、外側及び内側のいずれからも同様な横格子形状が見えるから意匠性が良い。
【００１７】
図３に示すように、横格子５を柱３に取り付ける際には、各横格子５の左右端を固定した内側補助材２１を支柱３に固定した外側補助材１９の係合部２３に内側から係合して、内側から止めるねじ２２で内側補助材２１を外側補助材１９に固定しているから、内側からの作業で、横格子５を支柱５に簡単に取り付けできる。
ねじ２２は内側から止めるので、外側からねじ２２の頭が見えないから外観が良い。
各横格子５を内側補助材２１に取り付けてユニット化しているので、作業性が良い。
内側補助材２１に横格子５を固定したねじ２４の頭は内側補助材２１と外側補助材１９との間の空間にあり外部に露出しないので、ねじ２４の頭が人に当たることがないから安全性が高く且つ外部から見えないので意匠性が良い。
パネル体９は、支柱３との間に寸法調整用の空間３３を設けているので、支柱３、３間の寸法が異なる場合でも、空間３３の左右方向の寸法を調整できるからパネルサイズを変更することなく、同種のパネルを使用できる。
パネル体９は、パネル２７の四周を下弦材３１と笠木補助材３２と縦枠２９とで組んでから支柱３、３に取り付けできるので、施工が容易である。
笠木７において、カバー７ｂは、外側に設けた被係合部４９を外側突設部４３に設けた係合部４７に係合して内側で折り返し部５３を基部７ａに固定しているので、内側からの作業でカバー７ｂを固定でき、作業性が良い。
折り返し部５３を下から止めるねじ３８で基部７ａに固定しているので、笠木７内の空間にねじ３８が突出しないから、送電ケーブルをねじで痛めるのを防止できる。
【００１８】
本発明は、上述した実施の形態に限らず、本発明の要旨を逸脱しない範囲で種々変形可能である。
例えば、格子体１は、バルコニー用手摺に限らず、フェンスや防護柵、ガーデンスクリーン等であっても良い。
格子体１には、パネル体９を設けないで、全体に横格子５のみを設けても良い。
【符号の説明】
【００１９】
１    格子体
３    支柱
５    横格子
１１  外側見付け面
１１ａ  上端部
１１ｂ  下端部
１３  内側見付け面
１３ａ  上端部
１３ｂ  下端部
１５  上面
１７  下面
【図１】
2015140578.tif 000003
【図２】
2015140578.tif 000004
【図３】
2015140578.tif 000005
【図４】
2015140578.tif 000006
【図５】
2015140578.tif 000007
【図６】
2015140578.tif 000008
【図７】
2015140578.tif 000009
【図８】
2015140578.tif 000010